(57)【要約】【課題】タンデムプリンタシステムで使用するリソース格納領域と、シングルプリンタシステムで使用するリソース格納領域が同じである事により、タンデムプリンタシステムとして使用する際に第１プリンタと第２プリンタのリソース格納領域内容に差異が発生する可能性があり、そのために第１プリンタと第２プリンタでの印刷結果が異なってしまうことである。【解決手段】タンデムプリンタシステムで使用するリソース格納領域と、シングルプリンタシステムで使用するリソース格納領域の２種類を搭載することで、タンデムプリンタシステムとして使用する際に第１プリンタのリソース格納領域内容と第２プリンタのリソース格納領域内容に差異が発生せず、第１プリンタの印刷結果と第２プリンタの印刷結果が異なるのを防ぐことが可能になる。【選択図】図１
2009172882.tif 000002
【特許請求の範囲】
【請求項１】
第１プリンタと第２プリンタを備え、前記第１プリンタと前記第２プリンタにて印刷を行い、前記第１プリンタに第１プリンタコントローラ、前記第２プリンタに第２プリンタコントローラが搭載されており、前記第１プリンタコントローラにはホスト装置がネットワーク接続されており、前記第１プリンタコントローラと前記第２プリンタコントローラは直接ケーブルで接続されているタンデムプリンタシステムにおいて、
タンデムプリンタシステムとして使用する場合用のリソース格納領域と、第１プリンタおよび第２プリンタをそれぞれ単独のプリンタシステムとして使用する場合用のリソース格納領域の、２種類のリソース格納領域を搭載することを特徴とするプリンタシステム。
【請求項２】
請求項１記載のタンデムプリンタシステムにおいて、前記ホスト装置から前記タンデムプリンタシステムへ、前記ネットワークを介してリソースをダウンロードする際に、前記第１プリンタが受取ったリソースを前記第１プリンタコントローラ搭載のタンデムプリンタシステムとして使用する場合用のリソース格納領域に格納すると同時に、前記ケーブルを介して前記第２プリンタへ受取ったリソースを送信し、リソースを受取った前記第２プリンタでは前記第２プリンタコントローラ搭載のタンデムプリンタシステムとして使用する場合用のリソース格納領域にリソースを格納することを特徴とするプリンタシステム。
【発明の詳細な説明】
【技術分野】
【０００１】
本発明は、プリンタシステムに関するものである。
【背景技術】
【０００２】
従来のタンデムプリンタシステムについて、図３および図４を用いて説明する。
【０００３】
従来のプリンタコントローラが第１プリンタおよび第２プリンタに搭載されているタンデムプリンタシステムは、図３に示すように、第１プリンタ２０１と第２プリンタ２０６によって構成される。そして、第１プリンタ２０１には第１プリンタコントローラ２０２と第１プリンタエンジン２０４が搭載され、第２プリンタ２０６には第２プリンタコントローラ２０７と第２プリンタエンジン２０９が搭載され、第１プリンタコントローラ２０２はネットワークエリア１０１に接続され、第１プリンタコントローラ２０２と第２プリンタコントローラ２０７は配線２０５によって接続されている。また、第１プリンタエンジン２０４を第１プリンタコントローラ２０２によって制御し、第２プリンタエンジン２０９を第２プリンタコントローラ２０７によって制御している。更に、第１プリンタコントローラ２０２には第１プリンタリソース格納領域２０３が搭載され、第２プリンタコントローラ２０７には第２プリンタリソース格納領域２０８が搭載される。
【０００４】
従来のタンデムプリンタシステムを切り離して、シングルプリンタシステムとして使用する場合には、図４に示すように、第１プリンタ２０１には第１プリンタコントローラ２０２と第１プリンタエンジン２０４が搭載され、第２プリンタ２０６には第２プリンタコントローラ２０７と第２プリンタエンジン２０９が搭載され、第１プリンタコントローラ２０２と第２プリンタコントローラ２０７はそれぞれネットワークエリア１０１に接続され、第１プリンタコントローラ２０２と第２プリンタコントローラ２０７は配線２０５によって接続されない。
【０００５】
第１プリンタエンジン２０４を第１プリンタコントローラ２０２によって制御し、第２プリンタエンジン２０９を第２プリンタコントローラ２０７によって制御している。更に、第１プリンタコントローラ２０２には第１プリンタリソース格納領域２０３が搭載され、第２プリンタコントローラ２０７には第２プリンタリソース格納領域２０８が搭載される。
【０００６】
ここで、リソース格納領域とは、第１プリンタおよび第２プリンタに標準では格納されていないフォントやプログラム等のリソースを、プリンタの使用者が必要に応じてダウンロードする領域の事であり、リソース格納領域にダウンロードしておく事によってこれらのリソースを使った印刷が可能になる。
【０００７】
【特許文献１】特開２００７‐００１１７５号公報
【発明の開示】
【発明が解決しようとする課題】
【０００８】
上述した従来のタンデムプリンタシステムは、シングルプリンタシステムとして使用した場合と、タンデムプリンタシステムとして使用した場合で、同じリソース格納領域を使用していた為に、シングルプリンタシステムとして使用している際にそれぞれ個別にフォントやプログラム等のリソースをリソース格納領域へダウンロードしてしまうと、タンデムプリンタシステムとして使用する際に、第１プリンタのリソース格納領域内容と第２プリンタのリソース格納領域内容に差異が発生してしまう可能性がある。
【０００９】
リソース格納領域内容に差異が発生した場合、どちらか片方のプリンタのリソース格納領域のみに格納されているフォントやプログラム等を使用した印刷データの印刷の際に、使用したいフォントやプログラム等が格納されていない方のプリンタのみで、自動的に既存のフォントへの置換等がされ、第１プリンタと第２プリンタで異なったフォントやプログラム等を使用した印刷を行ってしまい、その結果第１プリンタでの印刷結果と第２プリンタでの印刷結果が異なってしまうという欠点があった。
【００１０】
本発明の目的は、タンデムプリンタシステムで使用するリソース格納領域と、シングルプリンタシステムで使用するリソース格納領域の２種類を搭載して、タンデムプリンタシステムとして使用する際に、第１プリンタのリソース格納領域内容と第２プリンタのリソース格納領域内容に差異を発生させないで、第１プリンタでの印刷結果と第２プリンタでの印刷結果が異ならないようにすることにある。
【課題を解決するための手段】
【００１１】
本発明は上記目的を達成するために、第１プリンタと第２プリンタを備え、前記第１プリンタと前記第２プリンタにて印刷を行い、前記第１プリンタに第１プリンタコントローラ、前記第２プリンタに第２プリンタコントローラが搭載されており、前記第１プリンタコントローラにはホスト装置がネットワーク接続されており、前記第１プリンタコントローラと前記第２プリンタコントローラは直接ケーブルで接続されているタンデムプリンタシステムにおいて、第１プリンタコントローラおよび第２プリンタコントローラに、タンデムプリンタシステム用とシングルプリンタシステム用のリソース格納領域を２種類搭載し、タンデムプリンタシステムとして使用する際はタンデムプリンタシステム用のリソース格納領域のみを使用し、シングルプリンタシステムとして使用する際はシングルプリンタシステム用のリソース格納領域のみを使用することを特徴とするものである。
【００１２】
また、前記ホスト装置から前記タンデムプリンタシステムへ、前記ネットワークを介してフォントやプログラム等のリソースをダウンロードするには、前記第１プリンタが受取ったリソースを前記第１プリンタのリソース格納領域に格納するのと同時に、前記ケーブルを介して前記第２プリンタへ受取ったリソースを送信し、リソースを受取った前記第２プリンタでは前記第２プリンタのリソース格納領域にリソースを格納することを特徴とするものである。
【発明の効果】
【００１３】
本発明によれば、プリンタコントローラをそれぞれ搭載する第１プリンタおよび第２プリンタを直列に接続するタンデムプリンタシステムにおいて、タンデムプリンタシステムとして使用する場合と、それぞれを独立のシングルプリンタシステムとして使用する場合で、タンデムプリンタシステム用およびシングルプリンタシステム用の２種類のリソース格納領域を搭載し使い分けるので、タンデムプリンタシステムとして使用する場合に、第１プリンタのリソース格納領域内容と第２プリンタのリソース格納領域内容に差異が発生せず、第１プリンタでの印刷結果と第２プリンタでの印刷結果が異なるのを防ぐことが出来る。
【００１４】
また、タンデムプリンタシステムでフォントやプログラム等のリソースのダウンロードを行う際に、リソースを受取った第１プリンタコントローラは、第１タンデム用リソース格納領域にリソースを格納するのと同時に、第２プリンタコントローラへリソースを送信し、そのリソースを受取った第２プリンタコントローラは、第２タンデム用リソース格納領域にリソースを格納するので、第１タンデム用リソース格納領域内容と第２タンデム用リソース格納領域内容に差異が発生せず、第１プリンタでの印刷結果と第２プリンタでの印刷結果が異なるのを防ぐことが出来る。
【発明を実施するための最良の形態】
【００１５】
以下、図１および図２に基づき本発明の実施の形態を説明する。  
先ず、図１を用いて本発明の構成について説明する。本発明のプリンタシステムで制御するタンデムプリンタ１０２は、第１プリンタ１０３と第２プリンタ１０９で構成される。さらに、第１プリンタ１０３は第１プリンタコントローラ１０４と第１プリンタエンジン１０７によって構成し、第２プリンタ１０９は第２プリンタコントローラ１１０と第２プリンタエンジン１１３によって構成される。また、第１プリンタエンジン１０７を第１プリンタコントローラ１０４によって制御し、第２プリンタエンジン１１３を第２プリンタコントローラ１１０によって制御している。
【００１６】
第１プリンタコントローラ１０４内には、第１タンデム用リソース格納領域１０５と第１シングル用リソース格納領域１０６があり、第２プリンタコントローラ１１０内には、第２タンデム用リソース格納領域１１１と第２シングル用リソース格納領域１１２がある。このうち、タンデムプリンタシステムの場合には、第１プリンタ１０３は第１タンデム用リソース格納領域１０５を使用し、第２プリンタ１０９は第２タンデム用リソース格納領域１１１を使用する。また、図１では記載していないが、第１プリンタ１０３と第２プリンタ１０９の間には、第１プリンタ１０３で印刷した用紙を反転し、第２プリンタ１０１へ送る装置がある。
【００１７】
そして、ホスト装置１００は、タンデムプリンタ１０２の第１プリンタコントローラ１０４とネットワークエリア１０１を通して接続されている。また、第１プリンタコントローラ１０４と第２プリンタコントローラ１１０は、配線１０８で接続されている。さらに、ホスト装置１００と第２プリンタコントローラ１１０は接続されていない状態である。
【００１８】
この状態で、ホスト装置１００からネットワークエリア１０１を介してフォントやプログラム等のリソースをタンデムプリンタ１０２へダウンロードするには、ホスト装置１００から送信したリソースを第１プリンタコントローラ１０４が受け取り、第１プリンタコントローラ１０４が搭載している第１タンデム用リソース格納領域１０５に格納するのと同時に、配線１０８を介して第２プリンタコントローラ１１０へ受取ったリソースを送信し、リソースを受取った第２プリンタコントローラ１１０は第２プリンタコントローラ１１０が搭載している第２タンデム用リソース格納領域１１１にリソースを格納する。
【００１９】
また、図２を用いて、タンデムプリンタ１０２を、第１プリンタ１０３および第２プリンタ１０９として切り離して、それぞれを単独のシングルプリンタシステムとして動作させる場合について説明する。
【００２０】
第１プリンタ１０３は、第１プリンタコントローラ１０４と第１プリンタエンジン１０７によって構成し、第２プリンタ１０９は、第２プリンタコントローラ１１０と第２プリンタエンジン１１３によって構成される。また、第１プリンタエンジン１０７を第１プリンタコントローラ１０４によって制御し、第２プリンタエンジン１１３を第２プリンタコントローラ１１０によって制御している。
【００２１】
第１プリンタコントローラ１０４内には、第１タンデム用リソース格納領域１０５と第１シングル用リソース格納領域１０６があり、第２プリンタコントローラ１１０内には、第２タンデム用リソース格納領域１１１と第２シングル用リソース格納領域１１２がある。このうち、シングルプリンタシステムの場合には、第１プリンタ１０３は第１シングル用リソース格納領域１０６を使用し、第２プリンタ１０９は第２シングル用リソース格納領域１１２を使用する。
【００２２】
そして、ホスト装置１００は、第１プリンタ１０３の第１プリンタコントローラ１０４および第２プリンタ１０９の第２プリンタコントローラ１１０と、ネットワークエリア１０１を通して接続されている。また、第１プリンタコントローラ１０４と第２プリンタコントローラ１１０は、配線１０８で接続されていない。
【００２３】
この状態で、ホスト装置１００からネットワークエリア１０１を介してフォントやプログラム等のリソースを第１プリンタ１０３および第２プリンタ１０９へダウンロードするには、ホスト装置１００から送信したリソースを、第１プリンタ１０３では受取ったリソースを第１シングル用リソース格納領域１０６へ格納し、第２プリンタ１０９では受取ったリソースを第２シングル用リソース格納領域１１２へ格納する。
【００２４】
上述したように、タンデムプリンタシステムで使用するリソース格納領域と、シングルプリンタシステムで使用するリソース格納領域の２種類を搭載することで、タンデムプリンタシステムとして使用する際に第１プリンタのリソース格納領域内容と第２プリンタのリソース格納領域内容に差異が発生せず、第１プリンタの印刷結果と第２プリンタの印刷結果が異なるのを防ぐことが可能になる。
【図面の簡単な説明】
【００２５】
【図１】本発明であるタンデムのプリンタシステムの実施形態を示す図である。
【図２】本発明であるタンデムのプリンタシステムを切り離してそれぞれ単独プリンタとして使う場合の実施形態を示す図である。
【図３】従来技術におけるタンデムのプリンタシステムの実施形態を示す図である。
【図４】従来技術におけるタンデムのプリンタシステムを切り離してそれぞれ単独プリンタとして使う場合の実施形態を示す図である。
【符号の説明】
【００２６】
１００…ホスト装置、１０１…ネットワークエリア、１０２…タンデムプリンタシステム、１０３…第１プリンタ、１０４…第１プリンタコントローラ、１０５…第１タンデム用リソース格納領域、１０６…第１シングル用リソース格納領域、１０７…第１プリンタエンジン、１０８…配線、１０９…第２プリンタ、１１０…第２プリンタコントローラ、１１１…第２タンデム用リソース格納領域、１１２…第２シングル用リソース格納領域、１１３…第２プリンタエンジン、２００…タンデムプリンタ、２０１…第１プリンタ、２０２…第１プリンタコントローラ、２０３…第１プリンタリソース格納領域、２０４…第１プリンタエンジン、２０５…配線、２０６…第２プリンタ、２０７…第２プリンタコントローラ、２０８…第２プリンタリソース格納領域、２０９…第２プリンタエンジン。
【図１】
2009172882.tif 000003
【図２】
2009172882.tif 000004
【図３】
2009172882.tif 000005
【図４】
2009172882.tif 000006